(57)【要約】【課題】生産性を低下させることなく、重ね合わされた複数枚の用紙を人手によらずに分離しやすいように捌く。【解決手段】重ね合わされた複数枚の用紙を、その一端面が底面に当接するように収容するとともに、底面に複数枚の用紙それぞれの一端面の一部が表出するような複数の貫通穴１３が形成されるとともに、用紙が収容される内側面のうち用紙面に当接する面に、底面に直交する方向に連続した凸部１２を有する。【選択図】図１
2008290799.tif 000002
【特許請求の範囲】
【請求項１】
重ね合わされた複数枚の用紙に対して空気を吹き付けることにより前記複数枚の用紙を分離しやすいように捌くための紙捌き用コンテナであって、
前記重ね合わされた複数枚の用紙をその一端面が底面に当接するように収容する収容部を有し、
前記収容部は、前記底面に前記複数枚の用紙それぞれの前記一端面の一部が表出するような貫通穴が形成されているとともに、前記用紙が収容される内側面のうち用紙面に当接する面の少なくとも一方に、前記底面に直交する方向に連続した凸部を有する紙捌き用コンテナ。
【発明の詳細な説明】
【技術分野】
【０００１】
本発明は、重ね合わされた複数枚の用紙を１枚ずつの用紙に分離しやすいように捌くための紙捌き用コンテナに関する。
【背景技術】
【０００２】
従来より、クレジットカードや携帯電話の利用明細書は、所定の用紙に利用明細情報が印字され、封筒に封入されて利用者に発送されているが、その際、利用明細書を発送するクレジットカード会社や携帯電話会社のほとんどは、広告情報が掲載された印刷物を利用明細書とともに封筒に封入して利用者に発送している。
【０００３】
また、広告情報が掲載された印刷物が封筒に封入されてなるダイレクトメールやビジネスメールにおいても、複数の印刷物がダイレクトメールやビジネスメールの送付先に応じた組み合わせで封筒に同封され、発送されている。
【０００４】
このように複数の印刷物を１つの封筒に同封する場合は、まず、１つの封筒に同封する複数の印刷物を組み合わせる必要がある。従来より、複数の印刷物を組み合わせる場合は、組み合わされる複数の印刷物を、その種類毎に設けられたフィーダから１枚ずつフィードし、フィードされた印刷物を搬送する搬送経路上にて順次重ね合わせることが行われ、それにより、複数の印刷物が組み合わされている（例えば、特許文献１参照。）。そのため、印刷物を１枚ずつフィードするフィーダのそれぞれには、フィードされる印刷物がその種類毎に複数枚重ね合わされて供給されることになる。
【０００５】
搬送経路上で組み合わされた複数の印刷物は、その後、１つの封筒に封入されることになる。
【特許文献１】特開平７−１８６１号公報
【発明の開示】
【発明が解決しようとする課題】
【０００６】
しかしながら、上述したように印刷物等の用紙が複数枚重ね合わされた場合、重ね合わされた用紙どうしが静電気等の作用によって密着してしまい、フィーダにかけられた際、一度に複数枚の用紙がフィードされてしまう、いわゆるダブルフィードが生じてしまう虞れがある。そこで、重ね合わされた複数枚の用紙をフィーダにかける際に、複数枚の用紙を作業員が手作業で波打たせるように揺動させることにより、１枚ずつの用紙に分離しやすいように捌くことが行われているが、この作業は人手による作業であるため、一度に捌くことができる用紙の枚数には限度があり、１つのフィーダにかけられる用紙の枚数や、用紙がかけられるフィーダの数が多い場合、作業効率が著しく低下してしまうという問題点がある。また、重ね合わされた複数枚の用紙を、捌く度に捌く枚数だけ取り出し、捌かれた用紙をフィーダにかけられるまで箱等に収容しておくという作業が生じ、生産性が低下してしまうという問題点がある。
【０００７】
本発明は、上述したような従来の技術が有する問題点に鑑みてなされたものであって、生産性を低下させることなく、重ね合わされた複数枚の用紙を人手によらずに分離しやすいように捌くことができる紙捌き用コンテナを提供することを目的とする。
【課題を解決するための手段】
【０００８】
上記目的を達成するために本発明は、
重ね合わされた複数枚の用紙に対して空気を吹き付けることにより前記複数枚の用紙を分離しやすいように捌くための紙捌き用コンテナであって、
前記重ね合わされた複数枚の用紙をその一端面が底面に当接するように収容する収容部を有し、
前記収容部は、前記底面に前記複数枚の用紙それぞれの前記一端面の一部が表出するような貫通穴が形成されているとともに、前記用紙が収容される内側面のうち用紙面に当接する面の少なくとも一方に、前記底面に直交する方向に連続した凸部を有する。
【０００９】
上記のように構成された本発明においては、重ね合わされた複数枚の用紙が、その一端面が底面に当接するように収容部に収容され、この状態で、紙捌き用コンテナの底面に形成された貫通穴を介して複数枚の用紙に空気が吹き付けられると、吹き付けられた空気が複数枚の用紙間を通って反対側に抜けて、複数枚の用紙が分離することになる。その際、収容部の用紙が収容される内側面のうち用紙面に当接する面の少なくとも一方に、底面に直交する方向に連続した凸部が設けられているため、複数枚の用紙に空気が吹き付けられた際、凸部が設けられた内側面のうち凸部ではない領域において複数枚の用紙が広がり、それにより、複数枚の用紙がその領域で大きく離れることになり、複数枚の用紙が分離しやすくなる。ここで、分離しやすいように捌く用紙は、重ね合わされた状態で紙捌き用コンテナの収容部に予め収容しておき、また、上述したように捌かれた後も紙捌き用コンテナの収容部に収容しておくことができるため、重ね合わされた複数枚の用紙を、捌く度に捌く枚数だけ取り出したり、捌かれた用紙を箱等に収容しておいたりする等という作業が生じず生産性が低下してしまうことがない。
【発明の効果】
【００１０】
以上説明したように本発明においては、重ね合わされた複数枚の用紙をその一端面が底面に当接するように収容する収容部の底面に、複数枚の用紙それぞれの一端面の一部が表出するような貫通穴が形成されているとともに、収容部の用紙が収容される内側面のうち用紙面に当接する面の少なくとも一方に、底面に直交する方向に連続した凸部を有する構成としたため、紙捌き用コンテナの底面に形成された貫通穴を介して複数枚の用紙に空気が吹き付けられた場合、吹き付けられた空気が複数枚の用紙間を通って反対側に抜けて、複数枚の用紙が分離することになるが、その際、凸部が設けられた内側面のうち凸部ではない領域において複数枚の用紙が広がり、それにより、複数枚の用紙がその領域で大きく離れることになり、重ね合わされた複数枚の用紙を人手によらずに分離しやすいように捌くことができる。また、分離しやすいように捌く用紙は、紙捌き用コンテナの収容部に収容された状態で空気が吹き付けられて捌かれるため、重ね合わされた状態で紙捌き用コンテナに予め収容しておき、また、捌かれた後も紙捌き用コンテナに収容しておくことができ、生産性が低下してしまうことがない。
【発明を実施するための最良の形態】
【００１１】
以下に、本発明の実施の形態について図面を参照して説明する。
【００１２】
図１は、本発明の紙捌き用コンテナを用いた紙捌き装置の実施の一形態を示す図であり、（ａ）は外観斜視図、（ｂ）は（ａ）に示した紙捌き用コンテナ１０を上から見た図、（ｃ）は（ａ）に示した紙捌き用コンテナ１０を取り去った外観斜視図である。
【００１３】
本形態は図１（ａ）に示すように、載置台３０上に載置され、重ね合わされた複数枚の用紙を収容する用紙収容箱体である紙捌き用コンテナ１０と、載置台３０の下部に支持軸２２に沿って摺動可能に設けられ、載置台３０上に載置された紙捌き用コンテナ１０に対して空気を吹き付ける空気吹付手段である３つのエアー供給ノズル２１とから構成されている。
【００１４】
紙捌き用コンテナ１０は図１（ａ），（ｂ）に示すように、底面に対向する面が開口した箱体であって、その内部が、重ね合わされた複数枚の用紙を収容する収容部１１となっている。収容部１１を構成する底面には、底面を表裏貫通した長孔形状の貫通穴１３が複数形成されており、互いに底面の短辺方向が千鳥状となるように配置されている。また、収容部１１には、互いに対向する二対の内側面が存在するが、そのうち紙捌き用コンテナ１０の長手方向端部側の内側面のそれぞれには、底面に直交する方向に連続した２つの凸部１２が設けられている。この凸部１２は、紙捌き用コンテナ１０の内側面が、互いに対向する方向に対して他の一対の内側面側に若干の角度だけ交互に傾くことにより収容部１１の内部側に突出するように形成されている。
【００１５】
載置台３０は図１（ｃ）に示すように、紙捌き用コンテナ１０が載置される面に、紙捌き用コンテナ１０の底面の大きさよりも小さく、かつ、紙捌き用コンテナ１０が載置台3３０上に載置された場合に紙捌き用コンテナ１０の底面に形成された全ての貫通穴１３が表出するような大きさの穴部３１が設けられている。
【００１６】
３つのエアー供給ノズル２１はそれぞれ、エアー供給器（不図示）から供給された空気を排出するものであって、図１（ｃ）に示すように、載置台３０の穴部３１に対向する領域にて、載置台３０上に載置された紙捌き用コンテナ１０の長手方向に支持軸２２に沿って摺動可能に配置されている。また、エアー供給ノズル２１はその先端部が複数のエアー吹出口２３からなり、複数のエアー吹出口２３は、載置台３０上に載置された紙捌き用コンテナ１０の長手方向に直交する方向に配列されている。
【００１７】
以下に、上記のように構成された紙捌き装置１を用いた紙捌き方法について説明する。
【００１８】
図２は、図１に示した紙捌き装置１の紙捌き用コンテナ１０に複数枚の印刷物４０が収容された状態を示す図であり、（ａ）は複数枚の印刷物４０が収容された紙捌き用コンテナ１０が載置台３０上に載置された状態における概観斜視図、（ｂ）は複数枚の印刷物４０が収容された紙捌き用コンテナ１０を底面側から見た図である。
【００１９】
図２（ａ）に示すように、図１に示した紙捌き装置１を用いて捌く複数枚の印刷物４０は、その一端面が紙捌き用コンテナ１０の底面に当接するように、かつ、その用紙面が紙捌き用コンテナ１０の内側面のうち凸部１２を有する内側面に当接するように紙捌き用コンテナ１０の収容部１１に収容される。そして、この状態でストックしておくことができる。この際、図２（ｂ）に示すように、紙捌き用コンテナ１０の収容部１１に収容された複数枚の印刷物４０のそれぞれは、紙捌き用コンテナ１０の底面に当接した一端面の一部が、紙捌き用コンテナ１０の底面に形成された貫通穴１３から表出する。また、紙捌き用コンテナ１０の内側面のうち印刷物４０の用紙面が当接する内側面のそれぞれには、底面に直交する方向に連続した２つの凸部１２が設けられているため、この２つの凸部１２の領域が印刷物４０にそれぞれ接し、その他の領域が印刷物４０との間に空隙を有するようになる。
【００２０】
このように紙捌き用コンテナ１０の収容部１１に収容された複数枚の印刷物４０を捌く場合は、まず、図２（ａ）に示すように、複数枚の印刷物４０が収容された紙捌き用コンテナ１０を載置台３０上に載置する。この際、上述したように、載置台３０に設けられた穴部３１が、紙捌き用コンテナ１０の底面の大きさよりも小さく、かつ、紙捌き用コンテナ１０が載置台３０上に載置された場合に紙捌き用コンテナ１０の底面に形成された全ての貫通穴１３が表出するような大きさであるため、紙捌き用コンテナ１０を載置台３０上に載置できるとともに、貫通穴１３を介して表出した印刷物４０の一端面の一部がこの穴部３１を介してもエアー供給ノズル２１側に表出することになる。
【００２１】
また、３つのエアー供給ノズル２１はそれぞれ、載置台３０上に載置された紙捌き用コンテナ１０の長手方向に支持軸２２に沿って摺動可能に配置されていることから、紙捌き用コンテナ１０に収容された複数枚の印刷物４０の重ね合わせ方向に支持軸２２に沿って摺動可能に配置されていることになる。また、エアー供給ノズル２１を構成する複数のエアー吹出口２３は、載置台３０上に載置された紙捌き用コンテナ１０の長手方向に直交する方向に配列されていることから、紙捌き用コンテナ１０に収容された複数枚の印刷物４０の重ね合わせ方向に直交する方向に配列されていることになる。
【００２２】
次に、上述したように紙捌き装置１の紙捌き用コンテナ１０に収容された複数枚の印刷物４０を捌く際の動作について説明する。
【００２３】
図３は、図１に示した紙捌き装置１にて紙捌き用コンテナ１０に収容された複数枚の印刷物４０を捌く際の動作を説明するための図である。
【００２４】
重ね合わされた複数枚の印刷物４０が収容された紙捌き用コンテナ１０を載置台３０上に載置し、エアー供給器及びエアー供給ノズル２１を駆動させると、図３に示すように、エアー供給器からエアー供給ノズル２１に空気が送られてエアー供給ノズル２１のエアー吹出口２３から空気が排出されるとともに、エアー供給ノズル２１が支持軸２２の一端側から他端側に支持軸２２に沿って移動しはじめる。
【００２５】
エアー供給ノズル２１は、載置台３０の穴部３１に対向する領域に配置されており、また、この穴部３１が、紙捌き用コンテナ１０が載置台３０上に載置された場合に紙捌き用コンテナ１０の底面に形成された全ての貫通穴１３が表出するような大きさであるため、エアー供給器から供給された空気は、エアー供給ノズル２１によって、紙捌き用コンテナ１０の底面に形成された全ての貫通穴１３から表出した印刷物４０の一端面側から吹き付けられる。このように、エアー供給ノズル２１から吹き付けられた空気は、紙捌き用コンテナ１０の底面に形成された複数の貫通穴１３によって紙捌き用コンテナ１０に収容された全ての印刷物４０に吹き付けられることになるが、この複数の貫通穴１３は千鳥状に形成されているため、紙捌き用コンテナ１０の強度を確保することができる。
【００２６】
また、エアー供給ノズル２１は、初期状態として、紙捌き用コンテナ１０の長手方向一端部側に配置されており、また、エアー供給ノズル２１を構成する複数のエアー吹出口２３が、紙捌き用コンテナ１０に収容された印刷物４０の重ね合わせ方向に直交する方向に配列されているため、エアー供給ノズル２１から排出された空気は、紙捌き用コンテナ１０に収容された印刷物４０のうち、まず、凸部１２が設けられた内側面の一方に接している印刷物４０に吹き付けられ、その後、エアー供給ノズル２１の移動に伴って、その他の印刷物に１枚ずつ順次吹き付けられていくことになる。
【００２７】
エアー供給ノズル２１から排出された空気が、紙捌き用コンテナ１０に収容された印刷物４０に吹き付けられると、図３に示すように、エアー供給ノズル２１によって吹き付けられた空気が印刷物４０の表裏、すなわち、紙捌き用コンテナ１０に収容された複数枚の印刷物４０の間を通って紙捌き用コンテナ１０の底面とは反対側に抜け、それにより、紙捌き用コンテナ１０に収容された複数枚の印刷物４０がエアー供給ノズル２１から吹き付けられた空気によって一旦分離する。
【００２８】
そして、エアー供給ノズル２１が支持軸２２によって印刷物４０の重ね合わせ方向に移動することにより、紙捌き用コンテナ１０に収容された複数枚の印刷物４０のそれぞれに対して、エアー供給ノズル２１から空気が順次吹き付けられていき、それにより、紙捌き用コンテナ１０に収容された複数枚の印刷物４０の全てがエアー供給ノズル２１から吹き付けられた空気によって一旦分離し、紙捌き用コンテナ１０に収容された印刷物４０が捌かれることになる。
【００２９】
ここで、紙捌き用コンテナ１０の内側面に設けられた凸部１２によって生じる作用について説明する。
【００３０】
図４は、図１に示した紙捌き装置１の内側面に設けられた凸部１２によって生じる作用を説明するための図である。
【００３１】
上述したように、紙捌き用コンテナ１０の内側面のうち印刷物４０の用紙面が当接する内側面のそれぞれには、底面に直交する方向に連続した２つの凸部１２が設けられているため、紙捌き用コンテナ１０に複数枚の印刷物４０が収容されると、この２つの凸部１２の領域が印刷物４０にそれぞれ接し、その他の領域が印刷物４０との間に空隙を有するようになる。
【００３２】
そのため、エアー供給ノズル２１から排出された空気が、紙捌き用コンテナ１０に収容された印刷物４０に吹き付けられると、図４に示すように、紙捌き用コンテナ１０に収容された印刷物４０が、紙捌き用コンテナ１０の内側面と印刷物４０との間の空隙にて紙捌き用コンテナ１０の内側面に沿うように広がり、エアー供給ノズル２１から空気が吹き付けられている印刷物４０とそれに面して重ね合わされた印刷物４０とが互いに離れ、それにより、複数枚の印刷物４０がその領域で大きく離れることになり、その後、複数枚の印刷物４０がフィーダにかけられた際に１枚ずつの印刷物４０に分離しやすくなる。
【００３３】
また、上述した処理によって印刷物４０が捌かれる際、複数枚の印刷物４０が等間隔に一旦分離するため、エアー供給ノズル２１から空気を吹き付ける処理と同時に、光センサ等を用いて印刷物４０の枚数をカウントすることもできる。また、捌かれた複数枚の印刷物４０は、複数枚の印刷物４０が等間隔となって重ね合わされた状態となるため、その後、カウンタ等を用いて枚数をカウントすることもできる。
【００３４】
その後、紙捌き用コンテナ１０を載置台３０から取り去り、捌かれた印刷物４０を紙捌き用コンテナ１０に収容した状態でストックしておくことができる。
【００３５】
なお、上述した実施の形態においては、１枚のシートからなる印刷物４０を複数枚重ね合わせて紙捌き用コンテナ１０に収容し、エアー供給ノズル２１から吹き付ける空気によって印刷物４０を１枚ずつ分離しやすくする例を示したが、複数枚の紙片が綴じられたり折り畳まれたりして構成された冊子等を本発明の用紙として紙捌き用コンテナ１０に収容し、エアー供給ノズル２１から吹き付ける空気によって冊子を１冊ずつ分離しやすくすることも考えられる。
【００３６】
ここで、上述した紙捌き装置１においては、重ね合わされた複数枚の印刷物４０の中に、複数枚の印刷物４０を重ね合わせる際に折り曲げられた印刷物が混入していた場合、その印刷物を検出することもできる。以下に、その動作について説明する。
【００３７】
図５は、図１に示した紙捌き装置１において、重ね合わされた複数枚の印刷物４０の中に折り曲げられた印刷物が混入していた場合にその印刷物を検出する動作を説明するための図であり、（ａ）は印刷物の重ね合わせ状態を示す図、（ｂ）は（ａ）に示したように重ね合わされた印刷物４０の中から折り曲げられた印刷物４１が検出される状態を示す図である。
【００３８】
複数の印刷物４０が重ね合わされる際、重ね合わされるもののうち１枚の印刷物４１が図５（ａ）に示すように折り曲げられた状態で重ね合わされたものとする。
【００３９】
このように折り曲げられた印刷物４１を含む複数の印刷物４０が、印刷物４１の折り曲げ状態における開放側が紙捌き用コンテナ１０の底面側となるように紙捌き用コンテナ１０に収容され、その状態でエアー供給ノズル２１から空気が吹き付けられると、折り曲げられていない印刷物４０においては、上述したようにエアー供給ノズル２１から吹き付けられた空気がその表裏を通って紙捌き用コンテナ１０の底面とは反対側に抜けるため、紙捌き用コンテナ１０の底面から持ち上げられることはないが、折り曲げられた印刷物４１においては、図５（ｂ）に示すように、エアー供給ノズル２１から吹き付けられた空気が開放された側から内部に入り込んで開放されていない側に突き当たり、それにより、紙捌き用コンテナ１０の底面から持ち上げられて空気が吹き付けられる側とは反対側に飛び出す。
【００４０】
なお、重ね合わされた複数枚の印刷物４０の中に折り曲げられた印刷物４１が混入していた場合、上述したようにエアー供給ノズル２１から吹き付けられる空気によってその印刷物を検出するためには、検出される印刷物が大きく折り曲げられている必要があるが、上述した処理によって捌かれた印刷物４０は、等間隔となって重ね合わされた状態となっているため、大きく折り曲げられていないものであっても、目視にてその印刷物を検出しやすくなる。
【００４１】
本形態における紙捌き装置１においては、上述したような作用が生じるため、紙捌き用コンテナ１０の側壁上方に光学センサ等の検出手段を設け、エアー供給ノズル２１から吹き付けられた空気によって持ち上げられた印刷物４１を検出する構成としてもよい。そのような構成を用いた場合、上述したような折り曲げられた状態で重ね合わされた印刷物を検出するだけでなく、Ｖ字折り等といった、一方の端面が開放されず、他方の端面が開放されるように折り畳まれた印刷物を所定の向きに重ね合わせる場合に、逆向きに重ね合わされた印刷物を検出する場合にも利用することができる。
【００４２】
（他の実施の形態）
図６は、図１に示した紙捌き装置１に用いられる紙捌き用コンテナの他の形態を示す図であり、（ａ）は上から見た図、（ｂ）は（ａ）に示した凸部１１２によって生じる作用を説明するための図である。
【００４３】
本形態における凸部１１２は図６に示すように、紙捌き用コンテナ１１０の内側面に段差によって形成されている。このように形成された凸部１１２を有する紙捌き用コンテナ１１０においても、上述したものと同様に、複数枚の印刷物４０が収容されると、紙捌き用コンテナ１１０の内側面のそれぞれにおいては、２つの凸部１１２の領域が印刷物４０にそれぞれ接し、その他の領域が印刷物４０との間に空隙を有するようになる。
【００４４】
そのため、エアー供給ノズル２１から排出された空気が、紙捌き用コンテナ１１０に収容された印刷物４０に吹き付けられると、図６（ｂ）に示すように、紙捌き用コンテナ１１０に収容された印刷物４０が、紙捌き用コンテナ１１０の内側面と印刷物４０との間の空隙にて広がり、エアー供給ノズル２１から空気が吹き付けられている印刷物４０とそれに面して重ね合わされた印刷物４０とが互いに離れ、それにより、複数枚の印刷物４０がその領域で大きく離れることになり、その後、複数枚の印刷物４０がフィーダにかけられた際に１枚ずつの印刷物４０に分離しやすくなる。
【００４５】
なお、上述した実施の形態においては、紙捌き用コンテナ１０，１１０の長手方向端部側の内側面のそれぞれに、底面に直交する方向に連続した２つの凸部１２，１１２が設けられているものを例に挙げて説明したが、紙捌き用コンテナ１０，１１０の長手方向端部側の内側面の少なくとも一方に凸部を有する構成とすることにより、上述したように、エアー供給ノズル２１から空気が吹き付けられた場合に、紙捌き用コンテナ１０，１１０に収容された印刷物４０が、紙捌き用コンテナ１０，１１０の内側面と印刷物４０との間の空隙にて広がり、その後、複数枚の印刷物４０がフィーダにかけられた際に１枚ずつの印刷物４０に分離しやすくなる。また、その凸部１２，１１２の数は、内側面のそれぞれにおいて２つに限らない。
【００４６】
また、紙捌き用コンテナ１０，１１０の底面に形成された複数の貫通穴１３の形状は、上述したような長孔形状に限らず、丸孔形状や角孔形状であってもよい。また、複数の貫通穴１３の配置は、上述したように紙捌き用コンテナ１０，１１０の底面の短辺方向が千鳥状であるものに限らず、紙捌き用コンテナ１０，１１０の底面の長辺方向が千鳥状となっているもの、あるいは、千鳥状ではなく、複数の貫通穴が紙捌き用コンテナ１０，１１０の底面の長辺方向及び短辺方向に直列に並んだものであってもよい。
【００４７】
図７は、図１に示した紙捌き装置１に用いられる紙捌き用コンテナの他の形態を示す図であり、上から見た図である。
【００４８】
図７に示すように、紙捌き用コンテナ２１０の底面を網状とし、それにより、紙捌き用コンテナ２１０の底面に複数の貫通穴１１３を設けることも考えられる。このように、複数の貫通穴は、紙捌き用コンテナに収容された複数枚の用紙それぞれの一端面が表出することができるように形成されていればよいが、その配置が千鳥状となるように形成されている場合は、紙捌き用コンテナの強度を確保することができる。
【００４９】
また、上述した実施の形態においては、エアー供給ノズル２１が、図１に示したように、印刷物４０が収容された紙捌き用コンテナ１０が載置台３０上に載置された場合に、紙捌き用コンテナ１０に収容された印刷物４０の重ね合わせ方向に直交する方向に配列された複数のエアー吹出口２３を先端部に有するものであるが、紙捌き用コンテナ１０に収容された印刷物４０の重ね合わせ方向に直交する方向を長手方向とする長手形状の吹出口を１つだけ有するものであってもよく、また、その形状が長手形状でないものであってもよい。ただし、紙捌き用コンテナ１０に収容された印刷物４０の重ね合わせ方向に直交する方向に複数のエアー吹出口２３が配列されたものや、紙捌き用コンテナ１０に収容された印刷物４０の重ね合わせ方向に直交する方向を長手方向とする長手形状の吹出口を１つだけ有するものである場合は、紙捌き用コンテナ１０に収容された印刷物４０と平行に印刷物の１枚ずつにスポット的に多くの空気を順次吹き付けることができるため、折り曲がった印刷物や逆向きに重ね合わされた印刷物をエアー供給ノズル２１から吹き付けられた空気によって持ち上がりやすくすることができる。
【００５０】
また、上述した実施の形態においては、紙捌き用コンテナ１０に収容された印刷物４０に対して載置台３０の穴部３１及び紙捌き用コンテナ１０の貫通穴１３を介して空気を吹き付けるエアー供給ノズル２１が、支持軸２２によって印刷物４０の重ね合わせ方向に穴部３１に対向しながら移動する構成としているが、エアー供給ノズル２１を固定するとともに載置台３０を印刷物４０の重ね合わせ方向に移動させることによりエアー供給ノズル２１と紙捌き用コンテナ１０との相対位置を変化させ、エアー供給ノズル２１から排出された空気が吹き付けられる印刷物４０を変えていく構成とすることも考えられる。また、エアー供給ノズル２１の数も上述した実施の形態に示したように３つに限らず、さらには、エアー供給ノズル２１と載置台３０とを固定し、エアー供給ノズル２１を載置台３０の穴部３１の全体に対して一度に空気を吹き付ける構成とすることも考えられる。
【図面の簡単な説明】
【００５１】
【図１】本発明の紙捌き用コンテナを用いた紙捌き装置の実施の一形態を示す図であり、（ａ）は外観斜視図、（ｂ）は（ａ）に示した紙捌き用コンテナを上から見た図、（ｃ）は（ａ）に示した紙捌き用コンテナを取り去った外観斜視図である。
【図２】図１に示した紙捌き装置の紙捌き用コンテナに複数枚の印刷物が収容された状態を示す図であり、（ａ）は複数枚の印刷物が収容された紙捌き用コンテナが載置台上に載置された状態における概観斜視図、（ｂ）は複数枚の印刷物が収容された紙捌き用コンテナを底面側から見た図である。
【図３】図１に示した紙捌き装置にて紙捌き用コンテナに収容された複数枚の印刷物を捌く際の動作を説明するための図である。
【図４】図１に示した紙捌き装置の内側面に設けられた凸部によって生じる作用を説明するための図である。
【図５】図１に示した紙捌き装置において、重ね合わされた複数枚の印刷物の中に折り曲げられた印刷物が混入していた場合にその印刷物を検出する動作を説明するための図であり、（ａ）は印刷物の重ね合わせ状態を示す図、（ｂ）は（ａ）に示したように重ね合わされた印刷物の中から折り曲げられた印刷物が検出される状態を示す図である。
【図６】図１に示した紙捌き装置に用いられる紙捌き用コンテナの他の形態を示す図であり、（ａ）は上から見た図、（ｂ）は（ａ）に示した凸部によって生じる作用を説明するための図である。
【図７】図１に示した紙捌き装置に用いられる紙捌き用コンテナの他の形態を示す図である。
【符号の説明】
【００５２】
１    紙捌き装置
１０，１１０，２１０    紙捌き用コンテナ
１１    収容部
１２，１１２    凸部
１３，１１３    貫通穴
２１    エアー供給ノズル
２２    支持軸
２３    エアー吹出口
３０    載置台
３１    穴部
４０，４１    印刷物
【図１】
2008290799.tif 000003
【図２】
2008290799.tif 000004
【図３】
2008290799.tif 000005
【図４】
2008290799.tif 000006
【図５】
2008290799.tif 000007
【図６】
2008290799.tif 000008
【図７】
2008290799.tif 000009